(57)【要約】【課題】  ユーザが好む複数の着信音または画像のうちのいずれかを自動的に選択でき、かつ、特定の着信音または画像が長期間にわたって選択されないという状況を回避する。【解決手段】  携帯電話機のメモリには、着信音または画像と着信音または画像を特定する番号であるプログラム番号とが対応づけて記憶されている。プログラム番号は、順番を示す情報を含む。携帯電話機の制御部は、着信があると、カウンタの値を１増やし、カウンタの値に対応するプログラム番号に応じた着信音または画像を、そのときの着信に際して使用する着信音または画像として特定する。【選択図】  図４
2005027282.tif 000002
【特許請求の範囲】
【請求項１】
１つまたは複数の特定のイベントの発生を通知する機能を備えた携帯電話機において、
特定のイベントが発生する毎に、あらかじめ決められている順番に従って複数種類のイベント発生通知用データのうちから１つのイベント発生通知用データを選定するイベント発生通知用データ選定手段を備えた
ことを特徴とする携帯電話機。
【請求項２】
イベント発生通知用データ選定手段は、特定のイベントとしての、音声着信、電子メール着信、電子メール送信、起動、または電子メール配信サーバへの電子メールの着信の有無の問い合わせが発生する毎に、イベント発生通知用データを選定する
請求項１記載の携帯電話機。
【請求項３】
イベント発生通知用データ選定手段は、着信がある毎に、あらかじめ決められている順番に従って複数種類の着信音データのうちから１つの着信音データを選定する着信音選定手段を含む
請求項２記載の携帯電話機。
【請求項４】
複数種類の着信音のそれぞれを発生するための着信音データを記憶する記憶手段と、
着信がある毎に、あらかじめ決められている順番における何番目の着信音データを使用するのかを特定する着信音特定手段とを備え、
着信音選定手段は、前記着信音特定手段によって特定される着信音データを選定し、選定した着信音データを前記記憶手段から読み出して音声出力手段に対して出力する
請求項３記載の携帯電話機。
【請求項５】
着信音特定手段は、着信音データの種類を特定する情報と、順番を示す情報とを対応づけるテーブルを有し、
着信音選定手段は、前記テーブルの内容にもとづいて着信音データを選定する
請求項４記載の携帯電話機。
【請求項６】
テーブルには、使用される着信音データであるのか使用されない着信音データであるのかを示す情報が設定され、
着信音選定手段は、使用されないことを示す情報が設定されている着信音データを選定対象から除外する
請求項５記載の携帯電話機。
【請求項７】
記憶手段には、テーブルにもとづく着信音データの選定を行うか否かを示す設定情報が記憶され、
着信音選定手段は、前記設定情報がテーブルにもとづく着信音データの選定を行わないことを示す場合には、あらかじめ指定されている着信音データを選定する
請求項６記載の携帯電話機。
【請求項８】
記憶手段には、音声着信の際に使用されるテーブルと、電子メール着信の際に使用されるテーブルとが記憶され、
着信音選定手段は、着信の種類に応じたテーブルを使用する
請求項７記載の携帯電話機。
【請求項９】
操作部に対する操作入力に応じて、順番を示す情報をテーブルに設定する順番設定手段を備えた
請求項３から請求項８のうちのいずれかに１項に記載の携帯電話機。
【請求項１０】
イベント発生通知用データ選定手段は、イベントの発生がある毎に、あらかじめ決められている順番に従って複数種類の画像データのうちから１つの画像データを選定する画像選定手段を含む
請求項１または請求項２記載の携帯電話機。
【請求項１１】
複数種類の画像のそれぞれを表示するための画像データを記憶する記憶手段と、
イベントが発生する毎に、あらかじめ決められている順番における何番目の画像データを使用するのかを特定する画像特定手段とを備え、
画像選定手段は、前記画像特定手段によって特定される画像データを選定し、選定した画像データを前記記憶手段から読み出して画像表示手段に対して出力する
請求項１０記載の携帯電話機。
【請求項１２】
画像特定手段は、画像データの種類を特定する情報と、順番を示す情報とを対応づけるテーブルを有し、
画像選定手段は、前記テーブルの内容にもとづいて画像データを選定する
請求項１１記載の携帯電話機。
【請求項１３】
テーブルには、使用される画像データであるのか使用されない画像データであるのかを示す情報が設定され、
画像選定手段は、使用されないことを示す情報が設定されている画像データを選定対象から除外する
請求項１２記載の携帯電話機。
【請求項１４】
記憶手段には、テーブルにもとづく画像データの選定を行うか否かを示す設定情報が記憶され、
画像選定手段は、前記設定情報がテーブルにもとづく画像データの選定を行わないことを示す場合には、あらかじめ指定されている画像データを選定する
請求項１２または請求項１３記載の携帯電話機。
【請求項１５】
操作部に対する操作入力に応じて、順番を示す情報をテーブルに設定する順番設定手段を備えた
請求項１２から請求項１４のうちいずれか１項記載の携帯電話機。
【請求項１６】
画像データを記憶手段に記憶させ、新たに前記記憶手段に記憶させた画像データを、画像特定手段が１番目に使用するように、テーブルの、順番を示す情報を変更する画像入力手段を備えた
請求項１２から請求項１５のうちいずれか１項記載の携帯電話機。
【請求項１７】
テーブルには、各画像データに対して、連続して使用する回数を示す情報が設定され、
画像選定手段は、一の画像データを選定すると、テーブルを参照して、連続して使用する回数を示す情報が示す回数分、連続してその画像データを選定する
請求項１２から請求項１６のうちいずれか１項記載の携帯電話機。
【請求項１８】
順番設定手段は、着信時に所定の期間内の発信履歴を検索し、
画像選定手段は、音声発信または電子メール送信の回数の多い順位に応じた画像データを選定する
請求項１５記載の携帯電話機。
【請求項１９】
順番設定手段は、着信時に所定の期間内の着信履歴を検索し、
画像選定手段は、音声着信または電子メール受信の回数の多い順位に応じた画像データを選定する
請求項１５記載の携帯電話機。
【発明の詳細な説明】
【技術分野】
【０００１】
本発明は、携帯電話機に関し、特に着信時に着信音を発生したり、画像を表示させたりして、ユーザに着信を通知する機能を備えた携帯電話機に関する。
【背景技術】
【０００２】
近年、携帯電話機のユーザは、音声通話着信時や電子メール着信時等に、ユーザに着信を通知する音である着信音を自己の好みに合わせて設定している。設定される着信音は、購入時に既に携帯電話機に記憶されている着信音であったり、着信音の配信サービスを提供している事業者のサーバからダウンロードして携帯電話機に記憶させた着信音であったり、ユーザが自ら作成して携帯電話機に記憶させたオリジナルの着信音であったりする。また、ユーザは、音声通話着信時用と、電子メール着信時用とにそれぞれ１つずつ着信音（例えば、着信メロディ。）を設定することもある。
【０００３】
携帯電話機に多種類の着信メロディが記憶されている場合でも、ユーザが、一時に使用できる着信メロディは１つだけである。従って、ユーザが、多種類の着信メロディを発音させて楽しみたいときには、ユーザが携帯電話機を操作して着信メロディの設定を変更しなければならない。着信メロディの設定の変更を煩わしいと感じ、着信メロディの設定の変更を行わないユーザの携帯電話機は、どの着信時にも同じ着信メロディが発生するので、ユーザは多種類の着信メロディを楽しむことができない。
【０００４】
そこで、着信時に鳴らす着信メロディをランダムに選択するシステムが提案されている（例えば、特許文献１参照。）。
【０００５】
また、一の着信メロディを時間分割して記憶し、着信時には時間分割された着信メロディの部分のうち、一の部分を鳴らす方法が提案されている（例えば、特許文献２参照。）。
【０００６】
一方、ユーザは、携帯電話機の画像表示設定について、あらかじめ携帯電話機が記憶している画像や、画像を提供するサーバからダウンロードした画像、携帯電話機が内蔵するカメラで撮影した画像、電子メールで受信した画像などの静止画像および動画像を、自由に設定している。例えば、ユーザが、携帯電話機に画像表示設定をする場合、待ち受け画面や、音声着信時、電子メール着信時、音声発信時、電子メール発信時、ウェイクアップ（起動時）などの各イベント別に、表示画像を１つずつ設定している。近年の傾向としては、携帯電話機の表示部の大画面化、および高解像度化が進み、ユーザがより画像を楽しめる状況になってきている。
【０００７】
そこで、着信メロディに代えて、または付加的に、着信時にキャラクタの動画像を表示させる携帯電話装置が提案されている（例えば、特許文献３参照。）。
【０００８】
【特許文献１】特開２００２−２０４２８６号公報  （第４−８頁、第３図）
【特許文献２】特開２０００−３５４０８７号公報  （第３−８頁、第４図、第５図）
【特許文献３】特開２００３−２３６６９号公報  （第５−６頁、第５図）
【発明の開示】
【発明が解決しようとする課題】
【０００９】
しかし、特許文献１に記載されたシステムでは、システム中のマイクロコンピュータにおける着信時のプログラムカウンタの値に応じて着信メロディが選択されるので、特定の着信メロディが長期間にわたって選択されないことがある。また、選択される着信音メロディに制限をかけていないので、携帯電話機に記憶されているが着信メロディとしては使用したくない着信メロディが選択されてしまう可能性がある。
【００１０】
また、特許文献２に記載された方法は、複数種類の着信メロディの使用には対応していない。そのため、ユーザが他の着信メロディを使用したい場合には、他の着信メロディの時間分割と着信音の設定とを行わなくてはならず、ユーザは煩雑な操作を行わなくてはならない。
【００１１】
特許文献３に記載された携帯電話装置は、表示する動画像を、音声着信および電子メール着信に対して、電話帳に登録したメンバ毎に設定することが可能であるが、ユーザが、お気に入りの画像を色々表示させたい場合、その度に画像表示設定の変更をしなければならない。そのため、画像表示設定の変更を煩わしいと感じ、画像表示設定の変更を行なわないユーザの携帯電話機は、１つの画像が設定された状態のままとなってしまい、ユーザが設定変更しない限り、音声着信および電子メール着信に対して、電話帳に登録されているメンバ毎にいつも同じ画像が表示され、特定のメンバからの着信が多いユーザは多種類の画像を楽しむことができない。
【００１２】
本発明は、ユーザが好む複数の着信音データや画像データなどのイベント発生通知用データのうちのいずれかを自動的に選択でき、かつ、特定のイベント発生通知用データが長期間にわたって選択されないという状況を回避できる携帯電話機を提供することを目的とする。
【課題を解決するための手段】
【００１３】
本発明による携帯電話機は、１つまたは複数の特定のイベントの発生を通知する機能を備えた携帯電話機であって、特定のイベントが発生する毎に、あらかじめ決められている順番に従って複数種類のイベント発生通知用データのうちから１つのイベント発生通知用データを選定するイベント発生通知用データ選定手段を備えたことを特徴とする。
【００１４】
イベント発生通知用データ選定手段が、特定のイベントとしての、音声着信、電子メール着信、電子メール送信、起動、または電子メール配信サーバへの電子メールの着信の有無の問い合わせが発生する毎に、イベント発生通知用データを選定するように構成されていてもよい。
【００１５】
イベント発生通知用データ選定手段が、着信がある毎に、あらかじめ決められている順番に従って複数種類の着信音データのうちから１つの着信音データを選定する着信音選定手段を含んでもよい。そのような構成によれば、あらかじめ決められている順番に従って複数種類の着信音データのうちから１つの着信音データを選定して、選定した着信音データにもとづく着信音を用いて、ユーザに着信を通知することができる。
【００１６】
複数種類の着信音のそれぞれを発生するための着信音データを記憶する記憶手段と、着信がある毎に、あらかじめ決められている順番における何番目の着信音データを使用するのかを特定する着信音特定手段とを備えてもよく、着信音選定手段は、着信音特定手段によって特定される着信音データを選定してもよく、選定した着信音データを記憶手段から読み出して音声出力手段に対して出力してもよい。そのような構成によれば、着信の回数に応じて出力させる着信音を任意に設定することができる。
【００１７】
着信音特定手段は、着信音データの種類を特定する情報と、順番を示す情報とを対応づけるテーブルを有してもよく、着信音選定手段は、テーブルの内容にもとづいて着信音データを選定してもよい。そのような構成によれば、ユーザが作成したテーブルにもとづいて着信音が選定されるため、ユーザは自己の好む複数の着信音のそれぞれを、順番に出力させることができる。
【００１８】
テーブルには、使用される着信音データであるのか使用されない着信音データであるのかを示す情報が設定されてもよく、着信音選定手段は、使用されないことを示す情報が設定されている着信音データを選定対象から除外してもよい。そのような構成によれば、ユーザは、携帯電話機には記憶させておきたいが着信音に用いたくない着信音を携帯電話機に記憶させることができる。
【００１９】
記憶手段には、テーブルにもとづく着信音データの選定を行うか否かを示す設定情報が記憶されてもよく、着信音選定手段は、設定情報がテーブルにもとづく着信音データの選定を行わないことを示す場合には、あらかじめ指定されている着信音データを選定してもよい。そのような構成によれば、記憶手段が記憶している複数の着信音のうち一の着信音のみを出力させることができる。
【００２０】
記憶手段には、音声着信の際に使用されるテーブルと、電子メール着信の際に使用されるテーブルとが記憶されてもよく、着信音選定手段は、着信の種類に応じたテーブルを使用してもよい。そのような構成によれば、音声着信の場合と電子メール着信の場合とで、別の着信音を出力させることができる。
【００２１】
操作部に対する操作入力に応じて、順番を示す情報をテーブルに設定する順番設定手段を備えてもよい。そのような構成によれば、そのような構成によれば、ユーザは、好みに応じて着信音を出力する順番を変更させることができる。
【００２２】
イベント発生通知用データ選定手段が、イベントの発生がある毎に、あらかじめ決められている順番に従って複数種類の画像データのうちから１つの画像データを選定する画像選定手段を含んでもよい。そのような構成によれば、あらかじめ決められている順番に従って複数種類の画像データのうちから１つの画像データを選定して、選定した画像データにもとづく画像を表示して、ユーザにイベントの発生を通知することができる。
【００２３】
複数種類の画像のそれぞれを表示するための画像データを記憶する記憶手段と、イベントの発生がある毎に、あらかじめ決められている順番における何番目の画像データを使用するのかを特定する画像特定手段とを備えてもよく、画像選定手段は、画像特定手段によって特定される画像データを選定し、選定した画像データを記憶手段から読み出して画像表示手段に対して出力してもよい。そのような構成によれば、イベントの発生回数に応じて、表示させる画像を任意に設定することができる。
【００２４】
画像特定手段は、画像データの種類を特定する情報と、順番を示す情報とを対応づけるテーブルを有してもよく、画像選定手段は、テーブルの内容にもとづいて画像データを選定してもよい。そのような構成によれば、ユーザが作成したテーブルにもとづいて画像が選定されるため、ユーザは自己の好む複数の画像のそれぞれを、順番に出力させることができる。
【００２５】
テーブルには、使用される画像データであるのか使用されない画像データであるのかを示す情報が設定されてもよく、画像選定手段は、使用されないことを示す情報が設定されている画像データを選定対象から除外してもよい。そのような構成によれば、ユーザは、携帯電話機には記憶させておきたいが表示させたくない画像を携帯電話機に記憶させることができる。
【００２６】
記憶手段には、テーブルにもとづく画像データの選定を行うか否かを示す設定情報が記憶されてもよく、画像選定手段は、設定情報がテーブルにもとづく画像データの選定を行わないことを示す場合には、あらかじめ指定されている画像データを選定してもよい。そのような構成によれば、記憶手段が記憶している複数の画像のうち一の画像のみを表示させることができる。
【００２７】
操作部に対する操作入力に応じて、順番を示す情報をテーブルに設定する順番設定手段を備えてもよい。そのような構成によれば、そのような構成によれば、ユーザは、好みに応じて画像を表示する順番を変更させることができる。
【００２８】
画像データを記憶手段に記憶させ、新たに記憶手段に記憶させた画像データを、画像特定手段が１番目に使用するように、テーブルの、順番を示す情報を変更する画像入力手段を備えてもよい。そのような構成によれば、ユーザが新たに記憶手段に記憶させた画像データを、１番目に表示させることができる。
【００２９】
テーブルには、各画像データに対して、連続して使用する回数を示す情報が設定されてもよく、画像選定手段は、一の画像データを選定すると、テーブルを参照して、連続して使用する回数を示す情報が示す回数分、連続してその画像データを選定してもよい。そのような構成によれば、ユーザの好みに応じて、特定の画像を表示させる回数を、他の画像を表示させる回数に比べて、増やすことができる。
【００３０】
順番設定手段は、着信時に所定の期間内の発信履歴を検索してもよく、画像選定手段は、音声発信または電子メール送信の回数の多い順位に応じた画像データを選定してもよい。そのような構成によれば、より多く発信している相手からの着信時と、そうでない相手からの着信時とで、表示する画像を変えることができる。
【００３１】
順番設定手段は、着信時に所定の期間内の着信履歴を検索してもよく、画像選定手段は、音声着信または電子メール着信の回数の多い順位に応じた画像データを選定してもよい。そのような構成によれば、より多く着信している相手からの着信時と、そうでない相手からの着信時とで、表示する画像を変えることができる。
【発明の効果】
【００３２】
本発明によれば、イベント発生通知用データ選定手段が、特定のイベントが発生する毎にイベント発生通知用データを変更する。そのため、ユーザは、イベントが発生する度に着信音データや画像データなどのイベント発生通知用データを変更するという煩わしい操作を行うことなく、自己が好む複数のイベント発生通知用データを用いることができる。また、複数のメロディまたは画像を、ユーザが設定した順序で着信の通知に用いるため、一のイベント発生通知用データのみを用いた場合と比較して、ユーザがイベント発生通知用データに飽きにくいという効果がある。
【００３３】
また、本発明によれば、携帯電話機は、着信がある毎に、あらかじめ決められている順番に従って複数種類の着信音データまたは画像データのうちから１つの着信音データまたは画像データを選定し、選定した着信音データにもとづく着信音を出力したり、画像データにもとづく画像を表示したりする。そのため、ユーザは、着信の度に着信音または画像を変更するという煩わしい操作を行うことなく、自己が好む複数の着信音または画像をもれなく使用することができる。
【００３４】
さらに、本発明によれば、携帯電話機は、着信に限らず、電子メール送信、起動、または電子メールを携帯電話機に配信するサーバである電子メール配信サーバへの電子メールの着信の有無の問い合わせ等であるイベントの発生毎に、あらかじめ決められている順番に従って複数種類の着信音データまたは画像データのうちから１つの着信音データまたは画像データを選定し、選定した着信音データにもとづく着信音を出力したり、画像データにもとづく画像を表示したりする。そのため、ユーザは、イベントの発生の度に着信音または画像を変更するという煩わしい操作を行うことなく、自己が好む複数の着信音または画像をもれなく使用することができる。
【発明を実施するための最良の形態】
【００３５】
実施の形態１．
図１は、本発明による携帯電話機の外観例を示す斜視図である。本発明による携帯電話機１は、情報や画像を表示する表示部２と、音声通話時に通話相手の音声を出力するレシーバ３と、着信音等を出力する音声出力手段としてのスピーカ４と、通話時のユーザの音声を音声信号に変換するマイクロフォン５と、ユーザが、発信先の電話番号、送信する電子メールの情報、および携帯電話機１に対する設定情報を入力する操作部６とを含む。また、操作部６は、ユーザが発信先の電話番号の入力後に発信を指示したり、着信時に受話を指示したりする場合にユーザが押下するオフフックボタン１１や、携帯電話機１に音声通話を終了させる場合に押下するオンフックボタン１２を含む。
【００３６】
図２は、本発明の第１の実施の形態の携帯電話機の内部構成例を示すブロック図である。制御部１０１は、ＣＰＵと入出力回路とを含み、携帯電話機１の各部を制御する。無線部１０３は、制御部１０１の制御に従って、音声信号や通信に必要な情報等を搬送波に乗せて携帯電話通信網の無線基地局に送信したり、音声信号や通信に必要な情報等を無線基地局から受信したりする。記憶手段としてのメモリ１０２は、制御部１０１の制御に従って、発信履歴や着信履歴、着信回数、メロディのデータ等を記憶する。また、制御部１０１は、表示部２、レシーバ３、スピーカ４およびマイクロフォン５を制御し、操作部６に対する操作にもとづく情報を入力する。
【００３７】
メモリ１０２には内部カウンタ（図示せず。）が形成されている。内部カウンタは、制御部１０１によって０または１に初期化され、その後、アップカウントされる。また、メモリ１０２は、着信音メロディのデータと、図３に示すようなプログラム選曲機能情報（プログラム選曲用テーブル）とを記憶する。プログラム選曲機能情報は、メモリ１０２が記憶している着信音メロディのデータ（着信音データ）に対応するメロディ名（着信音データの種類を特定する情報）と、メロディ登録番号と、プログラム番号（順番を特定する情報）とを対応づける情報である。メロディ登録番号は、登録された順に付される通し番号である。プログラム番号は、対応する着信音メロディの出力順を示す番号であり、１から始まる通し番号または０である。
【００３８】
図３に示す例では、例えば、メロディ登録番号が「１」であるメロディＡは、プログラム番号「４」と対応づけられて記憶されている。また、メロディ登録番号が「２」であるメロディＢは、プログラム番号「１」と対応づけられて記憶されている。プログラム選曲機能情報にもとづく着信音出力を行うという設定がなされている場合には、制御部１０１は、０でないプログラム番号に対応する着信音メロディを順番に出力する制御を行う。また、０であるプログラム番号に対応する着信音メロディは出力されない。従って、プログラム番号は、使用される着信音データであるのか使用されない着信音データであるのかを示す情報も含む。
【００３９】
ユーザが操作部６を介してプログラム番号の設定を要求する操作を行うと、制御部１０１は、例えば、プログラム番号設定用画面を表示部２に表示させる。プログラム番号設定用画面には、図３に例示されたような、メロディ登録番号、メロディ名およびプログラム番号が一覧表で表示されている。プログラム番号設定用画面が表示されているときに、ユーザは、メロディ名およびプログラム番号を変更することができる。例えば、操作部６に対するキー操作によって、変更したい情報が表示されている位置にカーソルを合わせ、変更後の情報をキー入力する。制御部１０１は、ユーザによるキー入力に応じてメモリ１０２の内容を変更する。以上のように、制御部１０１は、操作部６に対するユーザの操作入力に応じて、順番を特定する情報をテーブルに設定する順番設定手段を実現する。
【００４０】
なお、制御部１０１は、０ではないプログラム番号が０に変更され、通し番号に欠番が生じたときには、０ではないプログラム番号が通し番号になるように再付番する。また、制御部１０１は、０であるプログラム番号が０でないプログラム番号に変更され、番号に重複が生じたときにも、０ではないプログラム番号が通し番号になるように再付番する。そして、ユーザがプログラム番号設定の操作を終了すると、制御部１０１は、プログラム番号のうちの最大の値を、プログラム番号の最大値Ｃｍａｘとしてメモリ１０２に記憶させる。さらに、初めてプログラム番号の設定がなされたときには、制御部１０１は、内部カウンタの値を０に設定する。
【００４１】
また、ユーザが、新たに着信音メロディをメモリ１０２に記憶させるための処理を行った後、操作部６を介して着信音メロディの追加登録を要求する操作を行うと、制御部１０１は、例えば、既に登録されているメロディ登録番号の最大番号の次の番号を表示部２に表示させるとともに、メロディ名の入力を促す画面を表示部２に表示させる。ユーザが、操作部６を介してメロディ名を入力すると、制御部１０１は、入力されたメロディ名を、既に登録されているメロディ登録番号の最大番号の次の番号のメロディ登録番号に対応付けて、プログラム選曲機能情報に登録する。また、制御部１０１は、新たに登録されたメロディ登録番号に対応するプログラム番号を０に設定する。
【００４２】
なお、着信音メロディのデータは、ユーザが操作部６を操作して入力したり、着信メロディ配信サービスの提供事業者のサーバからダウンロードしたりすると、制御部１０１がメモリ１０２に記憶させる。また、携帯電話機１の製造者がメロディのデータをあらかじめメモリ１０２に記憶させてもよい。この実施の形態では、プログラム番号設定の操作がなされない限り、プログラム番号は０である。
【００４３】
ユーザは、プログラム選曲機能情報にもとづく着信音出力を行うか否かの設定を行うことができる。メモリ１０２には、ユーザによる設定に応じて、プログラム選曲機能情報にもとづく着信音出力を行うか否かの設定情報が記憶される。プログラム選曲機能情報にもとづく着信音出力を行うという設定がなされている場合には、着信時に内部カウンタの値に１を加える。そして、制御部１０１は、内部カウンタの値に一致するプログラム番号に対応するメロディのデータを読み出して音声信号に変換し、スピーカ４から出力する。例えば、図３に示す例では、内部カウンタの値（Ｃ）＝２の場合には、プログラム番号「２」に対応づけられているのはメロディＤであるから、メロディＤがスピーカ４から出力される。ただし、Ｃ＞Ｃｍａｘになった場合には、制御部１０１は、内部カウンタの値を１に設定してプログラム番号「１」に対応づけられているメロディをスピーカ４に出力させる。
【００４４】
プログラム選曲機能情報にもとづく着信音出力を行わないという設定がなされている場合には、制御部１０１は、あらかじめ指定されている着信音をスピーカ４に出力させる。ユーザは、指定の着信音として、メモリ１０２に記憶されている着信音メロディのデータのうちのいずれかを選択することもできる。
【００４５】
なお、この実施の形態において、音声通話の着信、音声通話の発信、電子メールの着信、電子メールの送信、ウェイクアップ（起動時）、または電子メールを携帯電話機１に配信する電子メール配信サーバへの電子メールの着信の問い合わせ（以下、これらの動作をイベントという。）等のイベントの発生がある毎に、あらかじめ決められている順番に従って複数種類のイベント発生通知用データのうちから１つまたは複数のイベント発生通知用データを選定するイベント発生通知用データ選定手段は、制御部１０１で実現されている。この実施の形態では、制御部１０１は、音声通話の着信および電子メールの着信時に、着信音を発生させる着信通知動作を選定する。また、あらかじめ決められている順番における何番目の着信音データを使用するのかを特定する着信音特定手段は、内部カウンタの値にもとづいてプログラム番号を特定する機能を有する制御部１０１で実現されている。さらに、着信音特定手段によって特定される順番に従って着信音データを選定し、選定した着信音データを記憶手段から読み出して音声出力手段に対して出力する着信音選定手段は、特定されたプログラム番号に応じた着信音メロディを決定する機能を有する制御部１０１で実現されている。
【００４６】
次に、この実施の形態の動作を説明する。図４は、この実施の形態の動作を説明するフローチャートである。ここでは、音声通話に着目して説明を行う。
【００４７】
携帯電話機１の電源が投入されると、制御部１０１は待ち受け状態になる。待ち受け状態において、制御部１０１は、無線部１０３を介して、携帯電話通信網の無線基地局から呼び出し（着信）があるか否かを監視する（ステップＳ１０１）。制御部１０１は、無線部１０３を介して無線基地局からの呼び出しを検出すると、プログラム選曲機能情報を使用して着信音出力を行うという設定がなされているか否かを確認する。プログラム選曲機能情報を使用して着信音出力を行うという設定がなされている場合には、メモリ１０２に記憶されている内部カウンタの値Ｃに１を加える（ステップＳ１０２、Ｓ１０３）。
【００４８】
制御部１０１は、内部カウンタの値Ｃとプログラム番号の最大値Ｃｍａｘとを比較し、Ｃ＞ＣｍａｘであればＣを１に設定する（ステップＳ１０４、Ｓ１０５）。
【００４９】
制御部１０１は、メモリ１０２が記憶しているプログラム選曲機能情報を検索して、内部カウンタの値Ｃと同じ値のプログラム番号を認識し、認識したプログラム番号に対応する着信音メロディを、出力する着信音メロディとして特定する。図３に示す例では、内部カウンタの値Ｃの値が１であった場合には、プログラム番号が１のメロディ名がメロディＢであり、メロディＢに対応する着信音メロディが特定される。そして、制御部１０１は、特定した着信音メロディのデータをメモリ１０２から読み出して音声信号に変換し、スピーカ４に出力する。スピーカ４は、入力された着信音メロディの音声信号を音声に変換して出力する（ステップＳ１０６）。
【００５０】
制御部１０１は、プログラム選曲機能情報を使用して着信音出力を行うという設定がなされていない場合には、あらかじめ指定されている着信音のデータを読み出して音声信号に変換してスピーカ４に出力する。すると、スピーカ４から指定されている着信音が発せられる。（ステップＳ１０７）。
【００５１】
ユーザがオフフックボタン１１を押下する前に回線が切断された場合には、制御部１０１は着信音メロディの出力を停止させて、待ち受け状態に移行する（ステップＳ１０８、Ｓ１１４）。回線が切断されず、ユーザがオフフックボタン１１を押下した場合には、制御部１０１は着信音メロディの出力を停止させて、通話状態に移行する（ステップＳ１０８、Ｓ１０９、Ｓ１１０、Ｓ１１１）。通話状態では、制御部１０１は、通話相手の音声信号をレシーバ３から出力させ、マイクロフォン５に入力されて音声信号に変換されたユーザの音声を無線部１０３を介して無線基地局に出力する。
【００５２】
発信元が回線を切断するか、またはユーザがオンフックボタン１２を押下すると、制御部１０１は通話状態を終了する（ステップＳ１１２、Ｓ１１３）。携帯電話機１は、通話状態が終了すると着信待ち受け状態となり、制御部１０１は、無線部１０３を介して、携帯電話機１が携帯電話通信網の無線基地局から呼び出しがあるか否かを監視する状態に戻る（ステップＳ１１５、Ｓ１０１）。
【００５３】
２度目に通話着信（音声通話のための着信）した場合には、ステップＳ１０３において内部カウンタの値Ｃは２になっているので、制御部１０１は、プログラム番号「２」に対応づけられたメロディをスピーカ４を介して出力させる。図３に示す例では、プログラム番号「２」に対応づけられたメロディはメロディＤであり、スピーカ４から発せられるメロディはメロディＤである。３度目に通話着信した場合は、メロディＥがスピーカ４から発せられ、４度目に通話着信した場合は、メロディＡがスピーカ４から発せられる。そして、６度目に通話着信した場合、ステップＳ１０５において内部カウンタの値Ｃは１であるため、制御部１０１はプログラム番号「１」に対応づけられたメロディであるメロディＢをスピーカ４を介して出力させる。従って、着信時には図５に示す順番で着信音メロディがスピーカ４から発せられる。ここで、図５は、着信時にスピーカ４から発せられる着信メロディの順番の一例を示す説明図である。
【００５４】
以上述べたように、この実施の形態によれば、通話着信をユーザに通知する着信音に用いられるイベント発生通知用データとしての着信音メロディが、ユーザが選定した複数の着信音メロディから選択される。また、通話着信がある度に、ユーザが選択した順番に着信音メロディが選択される。従って、所定回の着信（この実施の形態では５回）があれば、ユーザが好む複数の着信音メロディが、必ず、もれなく使用される。
【００５５】
実施の形態２．
第１の実施の形態は、音声通話に着目した実施の形態であったが、第２の実施の形態は、電子メールの着信に着目した実施の形態である。第２の実施の形態の携帯電話機１の内部構成は図２に示した構成と同じであるが、制御部１０１は、タイマを必ず有する。
【００５６】
この実施の形態の動作について説明する。図６は、この実施の形態の動作を説明するフローチャートである。
【００５７】
待ち受け状態において、制御部１０１は、無線部１０３を介して、携帯電話機１が携帯電話通信網の無線基地局から電子メール着信があるか否かを監視する（ステップＳ２０１）。制御部１０１は、無線部１０３を介して無線基地局からの電子メール着信を検出すると、プログラム選曲機能情報にもとづく着信音出力を行うという設定がなされているか否かを検出する。プログラム選曲機能情報にもとづく着信音出力を行うという設定がなされている場合には、メモリ１０２に記憶されている内部カウンタの値Ｃに１を加える（ステップＳ２０２、Ｓ２０３）。
【００５８】
次いで、制御部１０１は、内部カウンタの値Ｃとプログラム番号の最大値Ｃｍａｘとを比較し、Ｃ＞ＣｍａｘであればＣを１に設定する（ステップＳ２０４、Ｓ２０５）。
【００５９】
制御部１０１は、メモリ１０２が記憶しているプログラム選曲機能情報を検索して、内部カウンタの値Ｃと同じ値のプログラム番号に対応する着信音メロディを、出力する着信音メロディとして特定する。図３に示す例では、内部カウンタの値Ｃの値が１であった場合には、メロディＢに対応するプログラム番号が１であるから、メロディＢに対応する着信音メロディが特定される。そして、制御部１０１は、特定した着信音メロディのデータをメモリ１０２から読み出して音声信号に変換し、スピーカ４に出力する。スピーカ４は、入力されたメロディの音声信号を音声に変換して出力する（ステップＳ２０６）。また、制御部１０１は、メロディの発生を開始するときに、タイマに時間の計測を開始させる（ステップＳ２０８）。
【００６０】
制御部１０１は、プログラム選曲機能情報にもとづく着信音出力を行うという設定がなされていない場合には、あらかじめ指定されている着信音メロディのデータを読み出して音声信号に変換してスピーカ４に出力する。すると、スピーカ４から、指定されている着信音メロディが発せられる（ステップＳ２０７）。また、制御部１０１は、メロディの発生を開始するときに、タイマに時間の計測を開始させる（ステップＳ２０８）。
【００６１】
制御部１０１は、タイマが計測している経過時間が、あらかじめ決められている着信音継続時間に達すると、メロディの出力を停止させる（ステップＳ２０９）。なお、ユーザは、あらかじめ、着信音継続時間を設定しておくことができる。
【００６２】
携帯電話機１は、メロディの出力が終了すると着信待ち受け状態となり、制御部１０１は、無線部１０３を介して、携帯電話機１が携帯電話通信網の無線基地局から呼び出しがあるか否かを監視する（ステップＳ２１０、Ｓ２０１）。
【００６３】
以上述べたように、この実施の形態では、電子メール着信をユーザに通知する着信音に用いられる着信音メロディが、ユーザが選定した複数の着信音メロディから選択される。また、電子メール着信がある度に、ユーザが選択した順番に着信音メロディが選択される。従って、所定回の着信（この実施の形態では５回）があれば、ユーザが好む複数の着信音メロディが、必ず、もれなく使用される。
【００６４】
実施の形態３．
第１の実施の形態は音声通話に着目した実施の形態であり、第２の実施の形態は電子メールの着信に着目した実施の形態であったが、第３の実施の形態の携帯電話機は、第１の実施の形態の携帯電話機の機能と第２の実施の形態の携帯電話機の機能とを兼ね備えた携帯電話機である。
【００６５】
この実施の形態の動作について説明する。図７は、この実施の形態の動作を説明するフローチャートである。
【００６６】
制御部１０１は着信待ち受け状態において、無線部１０３を介して携帯電話通信網の無線基地局から呼び出し音声通話の着信または電子メール着信があるか否かを監視する（ステップＳ３０１、Ｓ３０２）。
【００６７】
制御部１０１は、無線部１０３を介して無線基地局からの音声通話の着信を検出すると、音声通話着信時の動作を行う（ステップＳ３０３）。音声通話着信時の動作は、第１の実施の形態におけるステップＳ１０２からステップＳ１１５までの動作と同じである。
【００６８】
また、制御部１０１は、無線部１０３を介して無線基地局からの電子メール着信を検出すると、電子メール着信時の動作を行う（ステップＳ３０４）。電子メール着信時の動作は、第２の実施の形態におけるステップＳ２０２からステップＳ２１０までの動作と同じである。
【００６９】
なお、この実施の形態では、通話着信用のプログラム選曲用テーブルと、電子メール着信用のプログラム選曲用テーブルとが別個に設けられている。また、プログラム番号を特定するための内部カウンタについても、通話着信用のものと電子メール着信用のものとが別個に設けられている。さらに、プログラム番号の最大値Ｃｍａｘについても、通話着信用のものと電子メール着信用のものとが別個に設けられている。すなわち、メモリ１０２には、音声着信の際に使用されるテーブルと、電子メール着信の際に使用されるテーブルとが記憶され、制御部１０１は、着信の種類に応じたテーブルを使用する。
【００７０】
この実施の形態によれば、通話着信および電子メール着信をユーザに通知する着信音に用いられる着信音メロディが、それぞれ、ユーザが選定した複数の着信音メロディから選択される。また、通話着信または電子メール着信がある度に、ユーザが選択した順番に着信音メロディが選択される。従って、ユーザが好む複数の着信音メロディが、必ず、もれなく使用される。
【００７１】
実施の形態４．
新たに着信音メロディをメモリ１０２に記憶させるときに、制御部１０１は、そのメロディにプログラム番号「１」を対応づけるようにしてもよい。また、メモリ１０２に記憶されていた０でないそれぞれのプログラム番号の番号を１つ増やす。例えば、新たな着信音メロディに対応するプログラム番号は「１」になり、それまでプログラム番号「１」に対応づけられていた着信音メロディはプログラム番号「２」に対応づけられる。同様に、プログラム番号「２」に対応づけられていた着信音メロディはプログラム番号「３」に対応づけられ、プログラム番号「３」に対応づけられていた着信音メロディはプログラム番号「４」に対応づけられる。以下、各メロディは、それまで対応づけられていたプログラム番号の値に１を加えた値のプログラム番号に対応づけられる。そして、内部カウンタの値を０に初期化する。
【００７２】
従って、この実施の形態によれば、より新しくメモリ１０２が記憶したメロディが優先的に着信音として特定される。よって、新たに登録された着信音メロディが確かに登録されたことを容易に確認できる。
【００７３】
実施の形態５．
上記の各実施の形態では、０でないプログラム番号に対応した着信音メロディは、１つずつ順番に使用されたが、着信音メロディに重み付けを行ってもよい。図８は、着信音メロディに重み付けが行われる場合のプログラム選曲用テーブルの構成例を示す説明図である。図８に示す例では、内部カウンタの値が２になっているときに着信があると、その着信以降（その着信を含む）の３回の着信において、プログラム番号が「２」である着信音メロディが使用される。また、内部カウンタの値が３になっているときに着信があると、その着信以降の２回の着信において、プログラム番号が「３」である着信音メロディが使用される。
【００７４】
そのような方式を実現するには、例えば、内部カウンタの他にサブカウンタを設ければよい。サブカウンタの初期値を０として、制御部１０１は、内部カウンタの値が２になると、サブカウンタの値を＋１する。そして、サブカウンタの値が、重みとして設定されている数を越えていなければ、着信音メロディの出力が終了したときに内部カウンタの値を−１しておく。サブカウンタの値が、重みとして設定されている数を越えていたら、内部カウンタの値をそのままにして、サブカウンタの値を初期値に戻す。
【００７５】
以上のように、制御部１０１は、あらかじめ決められている順番に従って複数種類の着信音データのうちから１つの着信音データを選定するのであるが、その際に、重みが高い着信音データを、他の着信音データよりも高い頻度で選定する。よって、この実施の形態によれば、所定回の着信があれば、ユーザが好む複数の着信音メロディが、必ず、もれなく使用されるとともに、ユーザがより好む着信メロディがより多く使用される。
【００７６】
実施の形態６．
制御部１０１が、メモリ１０２が記憶している電話番号または電子メールアドレスへの発信履歴にもとづいて発信回数の多い順番に通信相手を順位づけ、着信時に通信相手の順位に応じて着信音を特定するようにしてもよい。具体的には、あらかじめ制御部１０１が、メモリ１０２が記憶している電話番号または電子メールアドレスへの所定の期間内の発信履歴を検索して発信回数の多い順番に通信相手を順位づける。そして、着信時に通信相手の順位が１位の場合はプログラム番号「１」のメロディを出力する。通信相手の順位が２位の場合にはプログラム番号「２」のメロディを出力する。通信相手の順位が、プログラム番号の最大値Ｃｍａｘより大きい場合は、プログラム番号Ｃｍａｘの着信音を出力する。
【００７７】
この実施の形態によれば、ユーザがより多く発信している相手からの着信時の着信音と、そうでない相手からの着信時の着信音とを変えることができる効果がある。
【００７８】
実施の形態７．
制御部１０１が、メモリ１０２が記憶している電話番号または電子メールアドレスからの着信履歴にもとづいて着信回数の多い順番に通信相手を順位づけ、着信時に通信相手の順位に応じて着信音を特定する点が、以上に述べた各実施の形態と異なる。具体的には、あらかじめ制御部１０１が、メモリ１０２が記憶している発信元の電話番号または電子メールアドレスからの所定の期間内の着信履歴を検索して着信回数の多い順番に通信相手も順位づける。そして、着信時に通信相手の順位が１位の場合はプログラム番号「１」のメロディを出力する。通信相手の順位が２位の場合にはプログラム番号「２」のメロディを出力する。通信相手の順位が、プログラム番号の最大値Ｃｍａｘより大きい場合は、プログラム番号Ｃｍａｘの着信音を出力する。
【００７９】
この実施の形態によれば、ユーザがより多く着信している相手からの着信時の着信音と、そうでない相手からの着信時の着信音とを変えることができる効果がある。
【００８０】
なお、以上に述べた各実施の形態を、音声着信または電子メール着信に着目して説明したが、本発明による携帯電話機１は、音声着信時または電子メール着信時に限らず、電子メール送信、起動、または電子メールを携帯電話機に配信するサーバである電子メール配信サーバへの電子メールの着信の有無の問い合わせ等であるイベントの発生毎に、メモリ１０２が記憶している着信音データにもとづくメロディを発生してもよい。
【００８１】
実施の形態８．
図９は、本発明の第８の実施の形態の携帯電話機１の内部構成例を示すブロック図である。制御部２０１は、ＣＰＵと入出力回路とを含み、携帯電話機１の各部を制御する。無線部２０３は、制御部２０１の制御に従って、音声信号や通信に必要な情報等を搬送波に乗せて携帯電話通信網の無線基地局に送信したり、音声信号や通信に必要な情報等を無線基地局から受信したりする。記憶手段としてのメモリ２０２は、制御部２０１の制御に従って、発信履歴や着信履歴、発信回数、着信回数、メロディ、画像のデータ等を記憶する。また、制御部２０１は、表示部２を制御し、操作部６に対する操作にもとづく情報を入力する。なお、以下の各実施の形態における携帯電話機１の外観は、第１の実施の形態の図１の例に示した外観例と同様なため、第１の実施の形態と同様な動作を行なうボタン等には、図１と同じ符号を付し、説明を省略する。
【００８２】
メモリ２０２には内部カウンタ（図示せず。）が形成されている。内部カウンタは、制御部２０１によって０または１に初期化され、その後、アップカウントされる。また、メモリ２０２は、画像のデータと、図１０に示すようなプログラム画像選択機能情報（プログラム画像選択用テーブル）とを記憶する。図１０は、プログラム画像選択機能情報の一例を示す説明図である。プログラム画像選択機能情報は、メモリ２０２が記憶している画像のデータ（画像データ）に対応する画像名（画像データの種類を特定する情報）と、画像登録番号と、プログラム番号（順番を特定する情報）とを対応づける情報である。画像登録番号は、登録された順に付される通し番号である。プログラム番号は、対応する画像データの表示順を示す番号であり、１から始まる通し番号または０である。
【００８３】
図１０に示す例では、例えば、画像登録番号が「１」である画像Ａは、プログラム番号「４」と対応づけられて記憶されている。また、画像登録番号が「２」である画像Ｂは、プログラム番号「１」と対応づけられて記憶されている。プログラム画像選択機能情報にもとづく画像表示を行うという設定がなされている場合には、制御部２０１は、０でないプログラム番号に対応する画像を順番に表示部２に表示させる制御を行う。また、０であるプログラム番号に対応する画像は表示部２に表示されない。従って、プログラム番号は、使用される画像データであるのか使用されない画像データであるのかを示す情報も含む。なお、画像は、静止画像であっても動画像であってもよい。
【００８４】
ユーザが操作部６を介してプログラム番号の設定を要求する操作を行うと、制御部２０１は、例えば、プログラム番号設定用画面を表示部２に表示させる。プログラム番号設定用画面には、図１０に例示されたような、画像登録番号、画像名およびプログラム番号が一覧表で表示される。プログラム番号設定用画面が表示されているときに、ユーザは、画像名およびプログラム番号を変更することができる。例えば、操作部６に対するキー操作によって、変更したい情報が表示されている位置にカーソルを合わせ、変更後の情報をキー入力する。制御部２０１は、ユーザによるキー入力に応じてメモリ２０２の内容を変更する。以上のように、制御部２０１は、操作部６に対するユーザの操作入力に応じて、順番を特定する情報をテーブルに設定する順番設定手段を実現する。
【００８５】
なお、制御部２０１は、０ではないプログラム番号が０に変更され、通し番号に欠番が生じたときには、０ではないプログラム番号が通し番号になるように再付番する。また、制御部２０１は、０であるプログラム番号が０でないプログラム番号に変更され、番号に重複が生じたときにも、０ではないプログラム番号が通し番号になるように再付番する。そして、ユーザがプログラム番号設定の操作を終了すると、制御部２０１は、プログラム番号のうちの最大の値を、プログラム番号の最大値Ｃｍａｘとしてメモリ２０２に記憶させる。さらに、初めてプログラム番号の設定がなされたときには、制御部２０１は、内部カウンタの値を０に設定する。
【００８６】
また、ユーザが、新たに画像をメモリ２０２に記憶させるための処理を行った後、操作部６を介して画像の追加登録を要求する操作を行うと、制御部２０１は、例えば、既に登録されている画像登録番号の最大番号の次の番号を表示部２に表示させるとともに、画像名の入力を促す画面を表示部２に表示させる。ユーザが、操作部６を介して画像名を入力すると、制御部２０１は、入力された画像名を、既に登録されている画像登録番号の最大番号の次の番号の画像登録番号に対応付けて、プログラム画像選択機能情報に登録する。また、制御部２０１は、新たに登録された画像登録番号に対応するプログラム番号を０に設定する。
【００８７】
なお、ユーザが操作部６を操作して、画像を撮影する機能を有する画像撮影部（図示せず）が撮影した画像のデータを保存したり、画像配信サービスの提供事業者のサーバから画像のデータをダウンロードしたり、電子メールによって画像のデータを受信したりすると、制御部２０１が画像のデータをメモリ２０２に記憶させる。また、携帯電話機１の製造者が画像のデータをあらかじめメモリ２０２に記憶させてもよい。この実施の形態では、プログラム番号設定の操作がなされない限り、プログラム番号は０である。
【００８８】
ユーザは、プログラム画像選択機能情報にもとづく画像表示を行うか否かの設定を行うことができる。メモリ２０２には、ユーザによる設定に応じて、プログラム画像選択機能情報にもとづく画像表示を行うか否かの設定情報が記憶される。プログラム画像選択機能情報にもとづく画像表示を行うという設定がなされている場合には、着信時に内部カウンタの値に１を加える。そして、制御部２０１は、内部カウンタの値に一致するプログラム番号に対応する画像のデータを読み出して画像信号に変換し、表示部２に表示させる。例えば、図１０に示す例では、内部カウンタの値（Ｃ）＝２の場合には、プログラム番号「２」に対応づけられているのは画像Ｄであるから、画像Ｄが表示部２に表示される。ただし、Ｃ＞Ｃｍａｘになった場合には、制御部２０１は、内部カウンタの値を１に設定してプログラム番号「１」に対応づけられている画像を表示部２に表示させる。
【００８９】
プログラム画像選択機能情報にもとづく画像表示を行わないという設定がなされている場合には、制御部２０１は、あらかじめ指定されている画像を表示部２に表示させる。ユーザは、指定の画像として、メモリ２０２に記憶されている画像のデータのうちのいずれかを選択することもできる。
【００９０】
なお、この実施の形態において、イベントの発生がある毎に、あらかじめ決められている順番に従って複数種類のイベント発生通知用データのうちから１つのイベント発生通知用データを選定するイベント発生通知用データ選定手段は、制御部２０１で実現されている。この実施の形態では、制御部２０１は、画像を表示させるイベント発生通知動作を選定する。また、あらかじめ決められている順番における何番目の画像データを使用するのかを特定する画像特定手段は、内部カウンタの値にもとづいてプログラム番号を特定する機能を有する制御部２０１で実現されている。また、画像特定手段によって特定される順番に従って画像データを選定し、選定した画像データを記憶手段から読み出して画像出力手段に対して出力する画像選定手段は、特定されたプログラム番号に応じた画像を決定する機能を有する制御部２０１で実現されている。そして、画像表示手段は、表示部２で実現されている。
【００９１】
次に、この実施の形態の動作を説明する。図１１は、本発明による第８の実施の形態の動作を説明するフローチャートである。ここでは、音声通話に着目して説明を行う。
【００９２】
携帯電話機１の電源が投入されると、制御部２０１は待ち受け状態になる。待ち受け状態において、制御部２０１は、無線部２０３を介して、携帯電話通信網の無線基地局から呼び出し（着信）があるか否かを監視する（ステップＳ４０１）。着信がない場合、制御部２０１は、画像を表示部２に表示させてもよく、ユーザは、予め操作部６を操作して、メモリ２０２に、待ち受け状態時に表示させる画像のプログラム番号を記憶させていてもよい。
【００９３】
制御部２０１は、無線部２０３を介して無線基地局からの呼び出しを検出すると、プログラム画像選択機能情報を使用して画像表示を行うという設定がなされているか否かを確認する。プログラム画像選択機能情報を使用して画像表示を行うという設定がなされている場合には、メモリ２０２に記憶されている内部カウンタの値Ｃに１を加える（ステップＳ４０２、Ｓ４０３）。
【００９４】
制御部２０１は、内部カウンタの値Ｃとプログラム番号の最大値Ｃｍａｘとを比較し、Ｃ＞ＣｍａｘであればＣを１に設定する（ステップＳ４０４、Ｓ４０５）。
【００９５】
制御部２０１は、メモリ２０２が記憶しているプログラム画像選択機能情報を検索して、内部カウンタの値Ｃと同じ値のプログラム番号を認識し、認識したプログラム番号に対応する画像を、表示部２に表示させる画像として特定する。図１０に示す例では、内部カウンタの値Ｃの値が１であった場合には、プログラム番号が１の画像名が画像Ｂであり、画像Ｂに対応する画像が特定される。そして、制御部２０１は、特定した画像のデータをメモリ２０２から読み出して画像信号に変換し、表示部２に出力する。表示部２は、入力された画像のデータの画像信号を画像に変換して表示する（ステップＳ４０６）。
【００９６】
制御部２０１は、プログラム画像選択機能情報を使用して画像表示を行うという設定がなされていない場合には、あらかじめ指定されている画像のデータを読み出して画像信号に変換して表示部２に出力する。すると、表示部２に指定されている画像が表示される（ステップＳ４０７）。
【００９７】
ユーザがオフフックボタン１１を押下する前に回線が切断された場合には、制御部２０１は、表示部２に画像の表示を停止させて、待ち受け状態に移行する（ステップＳ４０８、Ｓ４１４）。回線が切断されず、ユーザがオフフックボタン１１を押下した場合には、制御部２０１は、表示部２に画像の表示を停止させて、通話状態に移行する（ステップＳ４０８、Ｓ４０９、Ｓ４１０、Ｓ４１１）。通話状態では、制御部２０１は、通話相手の音声信号をレシーバ３から出力させ、マイクロフォン５に入力されて音声信号に変換されたユーザの音声を無線部２０３を介して無線基地局に出力する。
【００９８】
発信元が回線を切断するか、またはユーザがオンフックボタン１２を押下すると、制御部２０１は通話状態を終了する（ステップＳ４１２、Ｓ４１３）。携帯電話機１は、通話状態が終了すると着信待ち受け状態となり、制御部２０１は、無線部２０３を介して、携帯電話機１が携帯電話通信網の無線基地局から呼び出しがあるか否かを監視する状態に戻る（ステップＳ４１５、Ｓ４０１）。
【００９９】
２度目に着信した場合には、ステップＳ４０３において内部カウンタの値Ｃは２になっているので、制御部２０１は、プログラム番号「２」に対応づけられた画像を表示部２に表示させる。図１０に示す例では、プログラム番号「２」に対応づけられた画像は画像Ｄであり、表示部２に表示される画像は画像Ｄである。３度目に着信した場合は、画像Ｅが表示部２に表示され、４度目に着信した場合は、画像Ａが表示部２に表示される。そして、６度目に着信した場合、ステップＳ４０５において内部カウンタの値Ｃは１であるため、制御部２０１はプログラム番号「１」に対応づけられた画像である画像Ｂを表示部２に表示させる。従って、着信時には図１２に示す順番で画像が表示部２に表示される。ここで、図１２は、本発明による第８の実施の形態において、着信時に表示部２に表示される画像の順番を説明する説明図である。
【０１００】
以上述べたように、この実施の形態によれば、着信をユーザに通知するイベント発生通知用データとしての画像が、ユーザが選定した複数の画像から選択される。また、着信がある度に、ユーザが選択した順番に画像が選択される。従って、所定回の着信（この実施の形態では５回）があれば、ユーザが好む複数の画像が、必ず、もれなく使用される。
【０１０１】
実施の形態９．
第８の実施の形態は、音声通話の着信に着目した実施の形態であったが、第９の実施の形態は、音声通話の発信、電子メールの着信、電子メールの送信、ウェイクアップ（起動時）、または電子メールを携帯電話機１に配信する電子メール配信サーバへの電子メールの着信の問い合わせ等であるイベントの発生に着目した実施の形態であり、第８の実施の形態と組み合わせてもよい。第９の実施の形態の携帯電話機１の内部構成は図９に示した構成と同じであるが、制御部２０１は、タイマを含む。なお、制御部２０１は、タイマを含んでいなくてもよいが、その場合、携帯電話機１は、制御部２０１に接続されたタイマを含む。
【０１０２】
この実施の形態の動作について説明する。図１３は、本発明による第９の実施の形態の動作を説明するフローチャートである。
【０１０３】
待ち受け状態において、制御部２０１は、イベントの発生があるか否かを監視する（ステップＳ５０１）。制御部２０１は、イベントの発生を検出すると、プログラム画像選択機能情報にもとづく画像表示を行うという設定がなされているか否かを検出する。プログラム画像選択機能情報にもとづく画像表示を行うという設定がなされている場合には、メモリ２０２が記憶している内部カウンタの値Ｃに１を加える（ステップＳ５０２、Ｓ５０３）。
【０１０４】
次いで、制御部２０１は、内部カウンタの値Ｃとプログラム番号の最大値Ｃｍａｘとを比較し、Ｃ＞ＣｍａｘであればＣを１に設定する（ステップＳ５０４、Ｓ５０５）。
【０１０５】
制御部２０１は、メモリ２０２が記憶しているプログラム画像選択機能情報を検索して、内部カウンタの値Ｃと同じ値のプログラム番号に対応する画像を、出力する画像として特定する。図１０に示す例では、内部カウンタの値Ｃの値が１であった場合には、画像Ｂに対応するプログラム番号が１であるから、画像Ｂに対応する画像が特定される。そして、制御部２０１は、特定した画像のデータをメモリ２０２から読み出して画像信号に変換し、表示部２に出力する。表示部２は、入力された画像の画像信号を画像に変換して表示する（ステップＳ５０６）。また、制御部２０１は、画像信号を表示部２に出力すると、タイマに時間の計測を開始させる（ステップＳ５０８）。
【０１０６】
制御部２０１は、プログラム画像選択機能情報にもとづく画像表示を行うという設定がなされていない場合には、あらかじめ指定されている画像のデータを読み出して画像信号に変換して表示部２に出力する。すると、表示部２に、指定されている画像が表示される（ステップＳ５０７）。また、制御部２０１は、画像信号を表示部２に出力すると、タイマに時間の計測を開始させる（ステップＳ５０８）。
【０１０７】
制御部２０１は、タイマが計測している経過時間が、あらかじめ決められている画像表示継続時間に達したり、イベントが終了したりすると、表示部２に画像の表示を停止させる（ステップＳ５０９）。なお、ユーザは、あらかじめ、画像表示継続時間を設定しておくことができ、イベント毎に異なる画像表示継続時間を設定してもよい。
【０１０８】
携帯電話機１は、画像の表示が終了すると着信待ち受け状態となり、制御部２０１は、イベントの発生があるか否かを監視する（ステップＳ５１０、Ｓ５０１）。
【０１０９】
２度目にイベントが発生した場合には、ステップＳ５０３において内部カウンタの値Ｃは２になっているので、制御部２０１は、プログラム番号「２」に対応づけられた画像を表示部２に表示させる。図１０に示す例では、プログラム番号「２」に対応づけられた画像は画像Ｄであり、表示部２に表示される画像は画像Ｄである。３度目にイベントが発生した場合は、画像Ｅが表示部２に表示され、４度目にイベントが発生した場合は、画像Ａが表示部２に表示される。そして、６度目にイベントが発生した場合、ステップＳ５０５において内部カウンタの値Ｃは１であるため、制御部２０１はプログラム番号「１」に対応づけられた画像である画像Ｂを表示部２に表示させる。従って、イベント発生時には図１４に示す順番で画像が表示部２に表示される。ここで、図１４は、本発明による第９の実施の形態において、イベントの発生時に表示部２に表示される画像の順番を説明する説明図である。
【０１１０】
以上述べたように、この実施の形態では、イベントの発生をユーザに通知する画像が、ユーザが選定した複数の画像から選択される。また、イベントの発生がある度に、ユーザが選択した順番に画像が選択される。従って、所定回のイベントの発生（この実施の形態では５回）があれば、ユーザが好む複数の画像が、必ず、もれなく使用される。
【０１１１】
実施の形態１０．
第８の実施の形態では、新規に画像データをメモリ２０２に記憶させるときに、制御部２０１は、その画像にプログラム番号「０」を対応づけるようにしたが、この実施の形態では、新規に画像データをメモリ２０２に記憶させるときに、制御部２０１は、その画像にプログラム番号「１」を対応づける。また、メモリ２０２に記憶されていた０ではないそれぞれのプログラム番号を１つずつ増やす。例えば、それまでプログラム番号「１」に対応づけられていた画像は、プログラム番号「２」に対応づけられる。同様に、プログラム番号「２」に対応づけられていた画像はプログラム番号「３」に対応づけられ、プログラム番号「３」に対応づけられていた画像はプログラム番号「４」に対応づけられる。以下、各画像は、それまで対応づけられていたプログラム番号の値に１を加えた値のプログラム番号に対応づけられる。そして、内部カウンタの値を０に初期化する。また、Ｃｍａｘの値にも１を加える（Ｃｍａｘ＝Ｃｍａｘ＋１）。なお、ユーザは、操作部６を操作して、携帯電話機１が内蔵する画像撮影部が撮影した画像データ、画像データを提供するサーバからダウンロードした画像データ、電子メールで受信した画像データなどの静止画像および動画像を、新規にメモリ２０２にさせる。従って、画像入力手段は、例えば、携帯電話機１が内蔵する画像撮影部等と、制御部２０１とで実現される。この実施の形態のその他の動作および構成は、第８の実施の形態と同様なため説明を省略する。なお、この実施の形態と、第９の実施の形態とを組み合わせてもよい。
【０１１２】
以上、述べたように、この実施の形態によれば、より新しくメモリ２０２が記憶した画像が優先的に表示部２に表示される。さらに、新たに登録された画像をメモリ２０２が確かに記憶したことを容易に確認できる。
【０１１３】
実施の形態１１．
第８の実施の形態から第１０の実施の形態によれば、０でないプログラム番号に対応した画像は、１つずつ順番に表示されたが、画像に重み付けを行ってもよい。図１５は、画像に重み付けが行われる場合のプログラム画像表示用テーブルの構成例を示す説明図である。図１５に示す例では、内部カウンタの値が２になっているときにイベントが発生すると、そのイベントの発生を含む３回のイベントの発生時に、連続してプログラム番号が「２」である画像が表示される。また、内部カウンタの値が３になっているときにイベントがあると、そのイベントの発生を含む２回のイベントの発生時に、連続してプログラム番号が「３」である画像が表示される。
【０１１４】
そのような方式を実現するには、例えば、内部カウンタの他にサブカウンタを設ければよい。サブカウンタの初期値を０として、制御部２０１は、内部カウンタの値が２になると、サブカウンタの値を＋１する。そして、サブカウンタの値が、重みとして設定されている数を超えていなければ、画像の表示を終了したときに内部カウンタの値を−１しておく。サブカウンタの値が、重みとして設定されている値を超えていたら、内部カウンタの値をそのままにしてサブカウンタの値を初期値に戻す。
【０１１５】
なお、この実施の形態と、第８の実施の形態、第９の実施の形態または第１０の実施の形態とを組み合わせてもよい。
【０１１６】
以上のように、制御部２０１は、あらかじめ決められている順番に従って複数種類の画像データのうちから１つの画像データを選定するのであるが、その際に、重みが高い画像データを、他の画像データよりも高い頻度で選定する。よって、この実施の形態によれば、所定回のイベントがあれば、ユーザが好む複数の画像データが、必ず、もれなく使用されるとともに、ユーザがより気に入っている画像がより多く使用される。
【０１１７】
実施の形態１２．
制御部２０１は、メモリ２０２が記憶している電話番号または電子メールアドレスへの発信履歴にもとづいて発信回数の多い順番に通信相手を順位づけ、着信時に通信相手の順位に応じて、表示する画像を特定するようにしてもよい。具体的には、あらかじめ制御部２０１が、メモリ２０２が記憶している電話番号または電子メールアドレスへの所定の期間内の発信履歴を検索して発信回数の多い順番に通信相手を順位づける。そして、着信時に通信相手の順位が１位の場合は、制御部２０１は、プログラム番号「１」の画像を表示部２に表示させる。通信相手の順位が２位の場合は、制御部２０１は、プログラム番号「２」の画像を表示部２に表示させる。通信相手の順位がプログラム番号の最大値Ｃｍａｘより大きい場合は、プログラム番号Ｃｍａｘの画像を表示する。
【０１１８】
なお、この実施の形態と、第８の実施の形態または第９の実施の形態とを組み合わせてもよい。
【０１１９】
この実施の形態によれば、ユーザがより多く発信している相手からの着信時と、そうでない相手からの着信時とで、表示部２が表示する画像を変えることができる効果がある。
【０１２０】
実施の形態１３．
第１３の実施の形態は、制御部２０１が、メモリ２０２が記憶している電話番号または電子メールアドレスへの着信履歴にもとづいて着信回数の多い順番に通信相手を順位づけ、着信時に通信相手の順位に応じて、表示する画像を特定する点が、第８の実施の形態から第１２の実施の形態と異なる。具体的には、あらかじめ制御部２０１が、メモリ２０２が記憶している発信元の電話番号または電子メールアドレスからの所定の期間内の着信履歴を検索して着信回数の多い順番に通信相手を順位づける。そして、着信時に通信相手の順位が１位の場合は、制御部２０１は、プログラム番号「１」の画像を表示部２に表示させる。通信相手の順位が２位の場合は、制御部２０１は、プログラム番号「２」の画像を表示部２に表示させる。通信相手の順位がプログラム番号の最大値Ｃｍａｘより大きい場合は、制御部２０１はプログラム番号Ｃｍａｘの画像を表示部２に表示させる。
【０１２１】
なお、この実施の形態と、第８の実施の形態または第９の実施の形態とを組み合わせてもよい。
【０１２２】
この実施の形態によれば、ユーザがより多く着信している相手からの着信時に表示する画像と、そうでない相手からの着信時に表示する画像とを変えることができる効果がある。
【０１２３】
なお、着信音に関する実施の形態である第１の実施の形態から第７の実施の形態のうちの一の実施の形態と、画像に関する実施の形態である第８の実施の形態から第１３の実施の形態のうちの一の実施の形態とを組み合わせてもよい。具体的には、例えば、着信時に、第１の実施の形態にもとづいて着信音を発生させ、第８の実施の形態にもとづいて画像を表示部２に表示させてもよい。また、各実施の形態の組み合わせによる動作を制御するソフトウェアを携帯電話機１に搭載させてもよい。具体的には、各実施の形態の組み合わせによる動作を制御するソフトウェアは、ユーザが、操作部６を操作して着信時およびイベント発生時の動作（第１の実施の形態から第７の実施の形態のうちの一の実施の形態と、第８の実施の形態から第１３の実施の形態のうちの一の実施の形態との組み合わせ）を指定すると、着信時およびイベント発生時に制御部１０１および制御部２０１が行なう動作を制御し、着信時およびイベント発生時に、制御部１０１および制御部２０１がユーザが指定した動作を行なうように、制御部１０１および制御部２０１を制御する。すると、ユーザは、着信時およびイベント発生時の携帯電話機１の動作を切り換えることができる。さらに、各実施の形態の組み合わせを制御するソフトウェアは、着信時およびイベント発生時の動作を、自動的（例えば、ランダムや、日替わり、週替わり等。）に決定してもよい。
【産業上の利用可能性】
【０１２４】
本発明は、着信等のイベントの発生時に、ユーザが好む着信音を発生させたり、画像を表示させたりすることができる携帯電話機に適用することができる。
【図面の簡単な説明】
【０１２５】
【図１】第１の実施の形態の携帯電話機の外観例を示す斜視図である。
【図２】第１の実施の形態の携帯電話機の内部構成例を示すブロック図である。
【図３】プログラム選曲機能情報の一例を示す説明図である。
【図４】本発明による第１の実施の形態の動作を説明するフローチャートである。
【図５】本発明による第１の実施の形態において、出力される着信音の順番を説明する説明図である。
【図６】本発明による第２の実施の形態の動作を説明するフローチャートである。
【図７】本発明による第３の実施の形態の動作を説明するフローチャートである。
【図８】プログラム選曲機能情報の他の例を示す説明図である。
【図９】第８の実施の形態の携帯電話機の内部構成例を示すブロック図である。
【図１０】プログラム画像選択機能情報の一例を示す説明図である。
【図１１】本発明による第８の実施の形態の動作を説明するフローチャートである。
【図１２】本発明による第８の実施の形態において、着信時に表示部に表示される画像の順番を説明する説明図である。
【図１３】本発明による第９の実施の形態の動作を説明するフローチャートである。
【図１４】本発明による第９の実施の形態において、イベントの発生時に表示部に表示される画像の順番を説明する説明図である。
【図１５】画像に重み付けが行われる場合のプログラム画像表示用テーブルの構成例を示す説明図である。
【符号の説明】
【０１２６】
１  携帯電話機
２  表示部
３  レシーバ
４  スピーカ
５  マイクロフォン
６  操作部
１１  オフフックボタン
１２  オンフックボタン
１０１、２０１  制御部
１０２、２０２  メモリ
１０３、２０３  無線部
【図１】
2005027282.tif 000003
【図２】
2005027282.tif 000004
【図３】
2005027282.tif 000005
【図４】
2005027282.tif 000006
【図５】
2005027282.tif 000007
【図６】
2005027282.tif 000008
【図７】
2005027282.tif 000009
【図８】
2005027282.tif 000010
【図９】
2005027282.tif 000011
【図１０】
2005027282.tif 000012
【図１１】
2005027282.tif 000013
【図１２】
2005027282.tif 000014
【図１３】
2005027282.tif 000015
【図１４】
2005027282.tif 000016
【図１５】
2005027282.tif 000017